(57)【要約】      （修正有）【課題】身近な布地を手軽に利用でき、首の形状に沿った特定形状を備えていなくとも襟元開口部が露出せず、要介護療養者の飲食物や、乳幼児のミルクなどが首元へ伝わり着衣の襟もとや胸元が汚れず、且つシンプルな構成のよだれ掛けを提供する。【解決手段】吸水性に富み、形状を問わない既存の編地又は織地に結合手段甲・乙を具備したよだれ掛け１とし、夫々表裏面で構成される結合手段甲と結合手段乙は、各裏面同士が着脱自在に結合する一対の結合手段をなし、よだれ掛け１の表面１ａに結合手段甲の表面２０ａ及び結合手段乙の裏面３０ｂを配し、よだれ掛け１の裏面に結合手段甲の裏面及び結合手段乙の表面を配し、結合手段甲・乙は所定長離間して設けた。【選択図】図１
0003201475.tif 000002
【実用新案登録請求の範囲】
【請求項１】
吸水性に富み、形状を問わない既存の編地又は織地に
結合手段甲・乙を具備したよだれ掛けであって、
夫々表裏面で構成される該結合手段甲と該結合手段乙は、
各裏面同士が着脱自在に結合する一対の結合手段をなし、
前記よだれ掛けの表面に
前記結合手段甲の表面及び前記結合手段乙の裏面を配し、
該よだれ掛けの裏面に
前記結合手段甲の裏面及び前記結合手段乙の表面を配し、
該結合手段甲・乙は所定長離間して設けられたよだれ掛け。
【請求項２】
前記所定長は人間の首の外周長に相当する長さである請求項１に記載のよだれ掛け。
【請求項３】
前記一対の結合手段のうち、
結合手段甲に結合する結合手段乙を、甲乙の延長線上に複数配置し、
または
結合手段乙に結合する結合手段甲を、甲乙の延長線上に複数配置した
請求項１又は請求項２のいずれかに記載のよだれ掛け。
【請求項４】
前記一対の結合手段のうち、
結合手段甲に結合する結合手段乙を、甲から所定長ずつ遠方へ複数配置し、
または
結合手段乙に結合する結合手段甲を、乙から所定長ずつ遠方へ複数配置した
請求項１又は請求項２のいずれかに記載のよだれ掛け。
【請求項５】
前記一対の結合する結合手段乙を、甲を中心とする円弧上に複数配置し、
または
結合手段乙に結合する結合手段甲を、乙を中心とする円弧上に複数配置した
請求項１又は請求項２のいずれかに記載のよだれ掛け。
【考案の詳細な説明】
【技術分野】
【０００１】
本考案は、よだれ掛けに関する。
【背景技術】
【０００２】
従来、縁を首に沿った円形状または略円形状の特定形状に形成した布地を使用するよだれ掛けが知られている。
【０００３】
例えば、布地の一部に乳児の首がはいるＣ型穴をあけ、この穴の縁に沿ってＣ字型の形をもち、かつ、この状態から手でつまんで拡張変形させることが出来、加えた力を取り除くと原形に復旧する事が出来る芯材を縫い込んだよだれかけに関する技術が開示されている（特許文献１参照）。
【０００４】
また、第１帯状部の端部と第２帯状部の端部が連結されることにより輪を形成し、その輪を身体の一部に掛けることによって身体に装着される衣服において、前記第１帯状部の端部には、第１結合部材が固定されて設けられており、  前記第２帯状部には、前記第１結合部材と結合可能な第２結合部材が前記第２帯状部の長手方向に移動可能設けられていることを特徴とする長さ調整可能な衣服に関する技術が開示されている（特許文献２参照）。
【０００５】
また、使用者に対して食事用エプロンを取り付けるための装着部と、使用者を汚れから守るための保護部と、食卓上に配置するための食器載置面と、この食器載置面が前記食卓上を容易に移動しないためのアクリル又はウレタン発泡層による滑り止め面が、前記食器載置面の裏面に設けられ、前記食器載置面及び前記保護部が撥水加工された生地より形成され、少なくとも、前記保護部の表面側には、強撥水加工が施され、前記保護部の裏面側には、前記表面側と比べ弱い撥水加工による撥水層が施され、前記アクリル又はウレタン発泡層と隣接して，前記弱い撥水層が設けられていることを特徴とする食事用エプロンに関する技術が開示されている（特許文献３参照）。
【０００６】
さらに、前掛け部と前掛け部から延出した首掛け部とからなるよだれ掛けにおいて、首掛け部の内周縁であって着用者の首後部に対応する位置に折り返し片を有することを特徴とするよだれ掛けに関する技術が開示されている（特許文献４参照）。
【先行技術文献】
【特許文献】
【０００７】
【特許文献１】実用新案登録第３１６３３５４号公報
【特許文献２】実用新案登録第３１２２７４７号公報
【特許文献３】特許第４９０７７１３号公報
【特許文献４】特開２００６−２９９４３１号公報
【考案の概要】
【考案が解決しようとする課題】
【０００８】
しかし、上記文献に開示されるように布を特定の形状に形成するのは製造工程が複雑化し、コスト高となる。しかも、よだれ掛けという物品の利用目的上、汚れの定着が早く、特に身体の抵抗力が衰えた要介護療養者にとっては一定期間の利用後は新品に取り換えて清潔を保つことが理想であるが、購入コストに照らせば頻繁に買い替えることは現実的ではない。
【０００９】
といって、単なるタオルをよだれ掛け代わりに利用することは、その都度の利便性に欠ける。
【００１０】
かかる事情により、身近な布地を手軽に利用でき、首の形状に沿った特定形状を備えていなくとも襟元開口部が露出せず、要介護療養者の飲食物や、乳幼児のミルクなどが首元へ伝わり着衣の襟もとや胸元が汚れず、且つシンプルな構成のよだれ掛けを提供することを課題とする。
【課題を解決するための手段】
【００１１】
請求項１に記載のよだれ掛けは、吸水性に富み、形状を問わない既存の編地又は織地に結合手段甲・乙を具備したよだれ掛けであって、夫々表裏面で構成される該結合手段甲と該結合手段乙は、各裏面同士が着脱自在に結合する一対の結合手段をなし、前記よだれ掛けの表面に前記結合手段甲の表面及び前記結合手段乙の裏面を配し、該よだれ掛けの裏面に前記結合手段甲の裏面及び前記結合手段乙の表面を配し、該結合手段甲・乙は所定長離間して設けられたことを特徴とする。
【００１２】
また、請求項２に記載のよだれ掛けは、請求項１に記載の構成において、前記所定長は人間の首の外周長に相当する長さであることを特徴とする。
【００１３】
また、請求項３に記載の係るよだれ掛けは、請求項１又は請求項２のいずれかの記載の構成において、前記一対の結合手段のうち、結合手段甲に結合する結合手段乙を、甲乙の延長線上に複数配置し、または結合手段乙に結合する結合手段甲を、甲乙の延長線上に複数配置したことを特徴とする。
【００１４】
また、請求項４に記載のよだれ掛けは、請求項１又は請求項２のいずれかの記載の構成において、前記一対の結合手段のうち、結合手段甲に結合する結合手段乙を、甲から所定長ずつ遠方へ複数配置し、または結合手段乙に結合する結合手段甲を、乙から所定長ずつ遠方へ複数配置したことを特徴とする。
【００１５】
また、請求項５に記載のよだれ掛けは、請求項１又は請求項２のいずれかの記載の構成において、前記一対の結合手段のうち、結合手段甲に結合する結合手段乙を、甲を中心とする円弧上に複数配置し、または結合手段乙に結合する結合手段甲を、乙を中心とする円弧上に複数配置したことを特徴とする。
【考案の効果】
【００１６】
本考案におけるよだれ掛けによれば、身近な布地を手軽に利用し、首の形状に沿った特定形状を備えていなくとも襟元開口部が露出せず、要介護療養者の飲食物や、乳幼児のミルクなどが首元へ伝わり着衣の襟もとや胸元が汚れず、且つシンプルな構成のよだれ掛けを安価に得ることができる。
【図面の簡単な説明】
【００１７】
【図１】本考案のよだれ掛けの表面の一部を示す図である。
【図２】本考案のよだれ掛けの裏面の一部を示す図である。
【図３】本考案のよだれ掛けの利用状態を示す図である。
【図４】本考案の異なる実施例のよだれ掛けの表面の一部を示す図である。
【図５】本考案の異なる実施例のよだれ掛けの表面の一部を示す図である。
【図６】本考案の異なる実施例のよだれ掛けの表面の一部を示す図である。
【考案を実施するための形態】
【００１８】
図面に基づき本考案の構成について、以下説明する。
【実施例１】
【００１９】
図１は、本考案のよだれ掛け（１）の表面の一部を示す平面図であり、結合手段甲（２０）、結合手段乙（３０）が、所定長、即ち人間の首の概ね外周長に相当する分離間して設けられている。図中、本よだれ掛けの表面（１ａ）においては、結合手段甲の表面（２０ａ）と結合手段乙の裏面（３０ｂ）が表れている。
【００２０】
図２は、本考案のよだれ掛け（１）の裏面の一部を示す平面図であり、図中、本よだれ掛けの裏面（１ｂ）においては、結合手段甲の裏面（２０b）と結合手段乙の表面（３０ａ）が表れている。
【００２１】
本実施例のよだれ掛け（１）の素材はタオル地である。尚、編地、織地、その他身近な布地を利用することが可能であり、利用目的に適う大きさを確保できれば、矩形、三角形、円形など布地の形状は問わない。
【００２２】
本実施例における結合手段甲・乙は、プラスチック製で、雌雄構造により互いに結合する構造をなす。尚、結合手段の素材や結合構造はこれに限られるものではない。
【００２３】
図３は、本考案のよだれ掛け（１）の利用状態を示す図であり、結合手段甲の裏面（２０ｂ）と結合手段乙の裏面（３０ｂ）同士を結合させんとする状態を示す。
【００２４】
本実施例によれば、身近な布地を手軽に利用し、首の形状に沿った特定形状を備えていなくとも襟元開口部が露出せず、要介護療養者の飲食物や、乳幼児のミルクなどが首元へ伝わり着衣の襟もとや胸元が汚れず、且つシンプルな構成のよだれ掛けを安価に得ることができる。
【実施例２】
【００２５】
次に、本考案の異なる実施例について説明する。本実施例では、一対の結合手段甲・乙のうち、結合手段甲に結合する結合手段乙を、甲乙の延長線上に複数配置したよだれ掛けに係るものである。
【００２６】
図４は、本実施例のよだれ掛け（２）の表面の一部を示す平面図であり、結合手段甲（２０）と結合手段乙（３０）を結ぶ延長線上に結合手段甲に結合する結合手段乙（３０）を複数配置したことを示す。
図中、本実施例のよだれ掛けの表面（２ａ）においては、結合手段甲の表面（２０ａ）と結合手段乙の裏面（３０ｂ）に加え、結合手段乙の裏面（３１ｂ、３２ｂ）が夫々図示されている。
尚、本実施例において、結合手段甲と結合手段乙とを入れ替えて実施することは妨げない。
【００２７】
本実施例によれば、先の実施例の効果に留まらず、一枚のよだれ掛けを体格に応じて、また、必要に応じて使用することが可能となる。
【実施例３】
【００２８】
更に、本考案の異なる実施例について説明する。本実施例では、一対の結合手段甲・乙のうち、結合手段甲に結合する結合手段乙を、甲から所定長ずつ遠方へ複数配置したよだれ掛けに係るものである。
【００２９】
図５は、本実施例のよだれ掛け（３）の表面一部を示す平面図であり、結合手段甲（２０）から結合手段甲に結合する結合手段乙（３０）を、甲から所定長ずつ遠方へ結合手段乙（３０）を複数配置したことを示す。
図中、本実施例のよだれ掛けの表面（３ａ）においては、結合手段甲の表面（２０ａ）と結合手段乙の裏面（３０ｂ）に加え、結合手段乙の裏面（３１ｂ、３２ｂ、３３ｂ）が夫々図示されている。
尚、本実施例において、結合手段甲と結合手段乙とを入れ替えて実施することは妨げない。
【００３０】
本実施例によっても、先の実施例の効果に留まらず、一枚のよだれ掛けを体格に応じて、また、必要に応じて使用することが可能となる。
【実施例４】
【００３１】
更に、本考案の異なる実施例について説明する。本実施例では、一対の結合手段甲・乙のうち、結合手段甲に結合する結合手段乙を、甲を中心とする円弧上に複数配置したよだれ掛けに係るものである。
【００３２】
図６は、本実施例のよだれ掛け（４）の表面の一部を示す平面図であり、結合手段甲（２０）から結合手段甲に結合する結合手段乙（３０）を、甲を中心とする略円弧上に複数配置したしたことを示す。
図中、本実施例のよだれ掛けの表面（４ａ）においては、結合手段甲の表面（２０ａ）と結合手段乙の裏面（３０ｂ）に加え、結合手段乙の裏面（３１ｂ、３２ｂ、３３ｂ、３４ｂ、３５ｂ）が夫々図示されている。
尚、本実施例において、結合手段甲と結合手段乙とを入れ替えて実施することは妨げない。
【００３３】
本実施例によれば、先の実施例の効果に留まらず、一枚のよだれ掛けを体格に応じて、また、必要に応じて使用することが可能となる。
【符号の説明】
【００３４】
１  本考案のよだれ掛け
２  異なる実施例のよだれ掛け
３  異なる実施例のよだれ掛け
４  異なる実施例のよだれ掛け
２０  結合手段甲
３０〜３５  結合手段乙
【図１】
0003201475.tif 000003
【図２】
0003201475.tif 000004
【図３】
0003201475.tif 000005
【図４】
0003201475.tif 000006
【図５】
0003201475.tif 000007
【図６】
0003201475.tif 000008